【誤訳訂正書】
【提出日】平成28年11月2日(2016.11.2)
【誤訳訂正１】
【訂正対象書類名】明細書
【訂正対象項目名】全文
【訂正方法】変更
【訂正の内容】
【発明の詳細な説明】
【発明の名称】変調符号化方式を管理する方法及びシステム
【技術分野】
【０００１】
本発明は移動通信システムに関し、特に変調符号化方式（Ｍｏｄｕｌａｔｉｏｎ  ａｎｄ  Ｃｏｄｉｎｇ  Ｓｃｈｅｍｅ、ＭＣＳ）を管理する方法及びシステムに関する。
【背景技術】
【０００２】
デジタルクラスタ通信システムによって提供される基本的なサービスは、グループコールサービス及び放送サービスを含む。グループコールサービスは、クラスタユーザ端末がある設定領域のある組のクラスタユーザ端末に作成したグループコールを許可し、ハーフデュプレックスモードを採用し、同一のセル内におけるすべての組内にクラスタユーザ端末は１本のダウンリンクを共有し、上りリンクをプリエンプションし、放送コールサービスでは、発呼者のみが話すことができ、ほかはすべて聴取者であり、発呼者はコールをログアウトすると、放送コールが終止する。この２種のサービスの共同特徴は、グループコールの非発話権ユーザが、無線リソース制御（Ｒａｄｉｏ  Ｒｅｓｏｕｒｃｅ  Ｃｏｎｔｒｏｌ、ＲＲＣ）接続に基づき、専用のチャネルを有しておらず、グループダウンリンク放送チャネルを共同にモニタリングし、単一の呼び出しの発話権／非発話権ユーザ、グループコールの発話権ユーザが、ＲＲＣ接続に基づき、専用のチャネルを有し、普通のロングタームエボリューション（Ｌｏｎｇ  Ｔｅｒｍ  Ｅｖｏｌｕｔｉｏｎ、ＬＴＥ）ユーザと類似する。
【０００３】
無線チャネルの時変性のため、従来のＬＴＥ技術では適応変調符号化（Ａｄａｐｔｉｖｅ  Ｍｏｄｕｌａｔｉｏｎ  Ｃｏｄｉｎｇ、ＡＭＣ）方式を用い、システムはコーディング方式及び変調さ階数を動的に変化させることによりリンク変化を適応追跡し、チャネル条件が比較的良い場合、システムスループットを向上させるように、より上位のＭＣＳはデータ送信を行い、当チャネル条件が悪い場合、伝送の確実性を保証するように、より下位の変調符号化方式でデータ送信を行う。従来のＬＴＥが適応変調符号化を達成する方法は、端末がダウンリンクチャネル品質を測定してダウンリンク信号対干渉電力と雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）値を取得し、端末がＳＩＮＲとＣＱＩのマッピングテーブルをクエリしてダウンリンクチャネル品質インジケータ（Ｃｈａｎｎｅｌ  Ｑｕａｌｉｔｙ  Ｉｎｄｉｃａｔｏｒ、ＣＱＩ）を取得し、アップリンクＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャンネル）又はＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）によって基地局に報告し、基地局が報告されたＣＱＩに基づいてＣＱＩとＭＣＳのマッピングテーブルをクエリしてＭＣＳのインナーループ値を取得し、基地局が端末によって報告されたダウンリンクハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）結果に基づいてブロック誤り率（Ｂｌｏｃｋ  Ｅｒｒｏｒ  Ｒａｔｉｏ、ＢＬＥＲ）を計算し、さらにＢＬＥＲのサンプリング値でＭＣＳアウターループ値を算出することである。
【０００４】
従来のＬＴＥ技術に基づくデジタルクラスタ通信システムは、従来のクラスタサービスを実現する。従来のＬＴＥ技術はピアツーピアの通信サービスに対して設計されたものであり、クラスタサービスがポイントツーマルチポイントのサービスであるため、クラスタサービスの特徴で、クラスタデータ伝送中に用いるＭＣＳも普通のＬＴＥ技術と異なることは決まり、具体的には、
クラスタユーザのダウンリンクデータ伝送はＨＡＲＱフィードバックがないため、従って基地局は端末のパケット誤り率を取得することができず、ＭＣＳアウターループ値を取得することができ、クラスタ中における非発話権ユーザはアップリンクチャンネルがないため、従って普通のＬＴＥユーザがＣＱＩを報告する過程を用いることができず、グループユーザは散在しており、分布はランダムであり、必ずグループにおける各ユーザがいずれもコーディング情報を確実に復調することができることを保証し、グループにおける各端末ユーザがいずれもＣＱＩを報告し、基地局は必ずグループ複数端末が報告したＣＱＩ情報を合理的に処理しなければならない。
【０００５】
これらの特徴で、従来のＬＴＥ中に使う変調符号化方法がＬＴＥ技術に基づくデジタルクラスタ通信システムに適しないことは決まる。
【発明の概要】
【発明が解決しようとする課題】
【０００６】
本発明の実施例は、ＬＴＥ技術に基づくデジタルクラスタ通信システムにおける変調符号化方式の管理手段を提供するために、変調符号化方式を管理する方法及びシステムを提供する。
【課題を解決するための手段】
【０００７】
本発明の実施例は、変調符号化方式ＭＣＳを管理する方法を提供しており、  
基地局は、クラスタ端末のブロック誤り率があらかじめ記憶されたブロック誤り率の閾値に達した場合のダウンリンクチャネル品質インジケータＣＱＩを取得すること、
基地局は、グループの現在のＣＱＩとローカルに保存されたグループによって報告されたＣＱＩを比較し、そのうち前記グループによって報告されたＣＱＩは受信されたグループ内の各クラスタ端末が報告したＣＱＩのうちの最小値であること、及び
比較結果はグループによって報告されたＣＱＩがグループの現在のＣＱＩより小さいならば、基地局はＭＣＳ値の更新操作を開始することを含む。
【０００８】
前記方法は、
ローカルのブロック誤り率があらかじめ記憶されたブロック誤り率の閾値に達した場合、クラスタ端末はＣＱＩを報告した後、報告を禁止するためのタイマーを起動し、タイマーが期限切れになるまで基地局にＣＱＩ情報を送信しないように制御すること、及び
報告を禁止するためのタイマーが期限切れになった後、ローカルのブロック誤り率が依然として前記ブロック誤り率の閾値より大きいならば、クラスタ端末は基地局にＣＱＩ情報を引き続き送信することを更に含むことを更に特徴とする。
【０００９】
前記方法は、前記基地局がＭＣＳ値の更新操作を開始することは、
グループの現在のＣＱＩをグループによって報告されたＣＱＩに更新すること、及び
あらかじめ記憶されたグループＣＱＩとＭＣＳのマッピングテーブルから、グループの現在のＣＱＩに対応する数値をクエリし、クエリして得られた数値をＭＣＳインナーループ値とすることを含むことを更に特徴とする。
【００１０】
前記方法は、
前記基地局はＭＣＳの更新操作を開始することは、
グループによって報告されたＭＣＳがグループＭＣＳの以下であると、前記基地局グループＭＣＳアウターループ値を１オーダー下げ、そのうち、グループによって報告されたＭＣＳは、クラスタ端末のブロック誤り率があらかじめ記憶されたブロック誤り率の閾値に達した場合に報告されたＣＱＩに対応するＭＣＳの最小値であり、グループＭＣＳは前回スケジューリングされた時に確定されたＭＣＳであること、
グループアウターループスケジューリング回数カウンターはあらかじめ設定されたＭＣＳアウターループスケジューリングカウンターの閾値に達すると、前記基地局はグループＭＣＳアウターループ値を１オーダー（order）高くし、グループアウターループスケジューリング回数カウンターをクリアし、そのうち、あらかじめ記憶されたグループＣＱＩとＭＣＳのマッピングテーブルにおいて更新された後のグループによって報告されたＣＱＩに対応するＭＣＳはグループＭＣＳより小さい、又は、グループによって報告されたＭＣＳはグループＭＣＳの以下である場合、グループアウターループスケジューリング回数カウンターをクリアし、毎回の基地局がＭＣＳ値を周期的にスケジューリングする場合、グループアウターループスケジューリング回数カウンターに１をプラスすること、及び
調整後のＭＣＳアウターループ値に基づいて、前記基地局は今回のスケジューリングされたＭＣＳ値を確定することを含むことを更に特徴とする。
【００１１】
前記方法は、前記クラスタ端末のブロック誤り率があらかじめ記憶されたブロック誤り率の閾値に達した場合に報告されたＣＱＩに対応するＭＣＳ値はクラスタ端末によって報告されたＣＱＩとともに送信されることを更に特徴とする。
【００１２】
本発明の実施例は、基地局を備える変調符号化方式ＭＣＳを管理するシステムを更に提供しており、そのうち、前記基地局は、
クラスタ端末のブロック誤り率があらかじめ記憶されたブロック誤り率の閾値に達した場合のダウンリンクチャネル品質インジケータＣＱＩを取得するように設定される取得装置、
前記取得装置に接続され、グループの現在のＣＱＩとローカルに保存されたグループによって報告されたＣＱＩを比較し、そのうち前記グループによって報告されたＣＱＩは受信されたグループ内の各クラスタ端末が報告したＣＱＩのうちの最小値であるように設定される比較装置、及び
前記比較装置に接続され、比較結果はグループによって報告されたＣＱＩがグループの現在のＣＱＩより小さいならば、ＭＣＳ値の更新操作を開始するように設定される更新装置を備える。
【００１３】
前記システムは、クラスタ端末を更に備え、そのうち、前記クラスタ端末は、
ローカルのブロック誤り率があらかじめ記憶されたブロック誤り率の閾値に達した場合、ＣＱＩを報告した後、報告を禁止するためのタイマーを起動し、タイマーが期限切れになるまで基地局にＣＱＩ情報を送信しないように制御するように設定される起動装置、及び
前記起動装置に接続され、報告を禁止するためのタイマーが期限切れになった後、ローカルのブロック誤り率が依然として前記ブロック誤り率の閾値より大きいならば、基地局にＣＱＩ情報を引き続き送信するように設定される制御装置を備えることを更に特徴とする。
【００１４】
前記システムは、前記更新装置は、
グループの現在のＣＱＩをグループによって報告されたＣＱＩに更新するように設定される更新モジュール、及び
あらかじめ記憶されたグループＣＱＩとＭＣＳのマッピングテーブルから、グループの現在のＣＱＩに対応する数値をクエリし、クエリして得られた数値をＭＣＳインナーループ値とするように設定される第１の確定モジュールを備えることを更に特徴とする。
【００１５】
前記システムは、前記更新装置は、
グループによって報告されたＭＣＳがグループＭＣＳの以下であると、グループＭＣＳアウターループ値を１オーダー下げ、そのうち、グループによって報告されたＭＣＳは、クラスタ端末のブロック誤り率があらかじめ記憶されたブロック誤り率の閾値に達した場合に報告されたＣＱＩに対応するＭＣＳの最小値であり、グループＭＣＳは前回スケジューリングされた時に確定されたＭＣＳであり、及び、グループアウターループスケジューリング回数カウンターはあらかじめ設定されたＭＣＳアウターループスケジューリングカウンターの閾値に達すると、グループＭＣＳアウターループ値を１オーダー高くし、グループアウターループスケジューリング回数カウンターをクリアし、そのうち、あらかじめ記憶されたグループＣＱＩとＭＣＳのマッピングテーブルにおいて更新された後のグループによって報告されたＣＱＩに対応するＭＣＳはグループＭＣＳより小さい、又は、グループによって報告されたＭＣＳはグループＭＣＳの以下である場合、グループアウターループスケジューリング回数カウンターをクリアし、毎回の基地局がＭＣＳ値を周期的にスケジューリングする場合、グループアウターループスケジューリング回数カウンターに１をプラスするように設定される制御モジュール、及び
前記制御モジュールに接続され、調整後のＭＣＳアウターループ値に基づいて、今回スケジューリングされたＭＣＳ値を確定するように設定される第２の確定モジュールを備えることを更に特徴とする。
【００１６】
前記システムは、前記クラスタ端末のブロック誤り率があらかじめ記憶されたブロック誤り率の閾値に達した場合に報告されたＣＱＩに対応するＭＣＳ値はクラスタ端末によって報告されたＣＱＩとともに送信されることを更に特徴とする。
【発明の効果】
【００１７】
本発明の実施例に係る方法及びシステムによれば、デジタルクラスタシステムに対して、ＬＴＥ無線プロトコルに基づいて、ＬＴＥ技術に基づくクラスタシステム適応変調符号化手段が提案されており、グループがデータを伝送する時に使用する変調符号化手段を動的に適応調整し、クラスタサービスデータを確実で効果的に伝送することを保証し、システム容量を更に向上させることができる。
【図面の簡単な説明】
【００１８】
【図１】図１は本発明の実施例に係る変調符号化方式を管理する方法のフローチャー    トである
【図２】図２は本発明の応用例に係る変調符号化方式を管理する方法のフローチャー    トである。
【図３】図３は本発明の実施例に係る変調符号化方式を管理するシステムの構造模式    図である。
【発明を実施するための形態】
【００１９】
以下、図面を参照しながら、本発明の実施例を詳細に説明する。ただし、衝突がない場合、本願中における実施例及び実施例中における特徴は相互に任意に組み合せることができる。
【００２０】
図１は本発明の実施例に係る変調符号化方式を管理する方法のフローチャートである。
図１に示すように、前記方法は、
基地局はクラスタ端末のブロック誤り率があらかじめ記憶されたブロック誤り率の閾値に達した場合のダウンリンクＣＱＩを取得するステップ１０１、
基地局は受信したＣＱＩとローカルに保存されたグループによって報告されたＣＱＩを比較し、そのうち前記グループによって報告されたＣＱＩは受信されたグループ内の各クラスタ端末が報告したＣＱＩのうちの最小値であるステップ１０２、
比較結果はグループによって報告されたＣＱＩがグループの現在のＣＱＩより小さいならば、基地局はＭＣＳ値の更新操作を開始するステップ１０３、を含む。
【００２１】
本発明の実施例に係る方法では、デジタルクラスタシステムに対して、ＬＴＥ無線プロトコルに基づいて、ＬＴＥ技術に基づくクラスタシステム適応変調符号化方案が提案され、グループがデータを伝送する時に使用する変調符号化手段を動的に適応調整し、クラスタサービスデータを確実で効果的に伝送することを保証し、更に、システム容量を向上させる。
【００２２】
操作保守センター（Ｏｐｅｒａｔｉｏｎ  Ｍａｉｎｔｅｎａｎｃｅ  Ｃｅｎｔｅｒ、操作保守センター）により管理パラメータ、例えば、ＣＱＩ状態レポートを報告するＢＬＥＲ閾値、ＣＱＩの報告を頻繁にトリガーすることを避けるタイマー持続時間、ＭＣＳアウターループスケジューリングカウンターの閾値、及びグループ初期ＣＱＩ等のパラメータを設定し、基地局はグループ負荷制御メッセージによりＢＬＥＲ閾値及びＣＱＩの報告を頻繁にトリガーすることを避けるタイマー持続時間パラメータをクラスタ端末に送信し、上記パラメータを受信した後、クラスタ端末は自分のＢＬＥＲをリアルタイムに検出し、ＢＬＥＲが規定された閾値に達した場合、クラスタ端末は状態レポートでＢＬＥＲに対応するＣＱＩ及びＭＣＳを報告し、基地局はクラスタ端末が報告したＣＱＩ及びＭＣＳを受信し、報告されたＣＱＩに基づいてグループがスケジューリングされる時のＭＣＳインナーループ値を確定し、報告されたＣＱＩ及びＭＣＳに基づいてグループがスケジューリングされる時のＭＣＳアウターループ値を確定し、更にＭＣＳインナーループ値及びＭＣＳアウターループ値に基づいて最終スケジューリング時のグループＭＣＳを確定する。
【００２３】
クラスタ端末がＣＱＩを報告する頻度を効果的に制御するために、前記方法は、
ローカルのブロック誤り率があらかじめ記憶されたブロック誤り率の閾値に達した場合、クラスタ端末はＣＱＩを報告した後、報告を禁止するためのタイマーを起動し、タイマーが期限切れになるまで基地局にＣＱＩ情報を送信しないように制御すること、及び
報告を禁止するためのタイマーが期限切れになった後、ローカルのブロック誤り率が依然として前記ブロック誤り率の閾値より大きいならば、クラスタ端末は基地局にＣＱＩ情報を引き続き送信することを更に含む。
【００２４】
そのうち、前記基地局がＭＣＳ値の更新操作を開始することは、
グループの現在のＣＱＩをグループによって報告されたＣＱＩに更新すること、及び
あらかじめ記憶されたグループＣＱＩとＭＣＳのマッピングテーブルから、グループの現在のＣＱＩに対応する数値をクエリし、クエリして得られた数値をＭＣＳインナーループ値とすることを含む。
【００２５】
以上は、どのようにＭＣＳインナーループ値を確定するかを説明したが、当業者は他の方式でＭＣＳアウターループ値を確定して、最終にＭＣＳ値を得ることができる。以下、ＭＣＳアウターループ値を確定する方法を提供しており、且つそれを説明する。
【００２６】
そのうち、前記基地局はＭＣＳの更新操作を開始することは、
グループによって報告されたＭＣＳがグループＭＣＳの以下であると、前記基地局はグループＭＣＳアウターループ値を１オーダー下げ、そのうち、グループによって報告されたＭＣＳは、クラスタ端末のブロック誤り率があらかじめ記憶されたブロック誤り率の閾値に達した場合に報告されたＣＱＩに対応するＭＣＳの最小値であり、グループＭＣＳは前回スケジューリングされた時に確定されたＭＣＳであること、
グループアウターループスケジューリング回数カウンターはあらかじめ設定されたＭＣＳアウターループスケジューリングカウンターの閾値に達すると、前記基地局はグループＭＣＳアウターループ値を１オーダー高くし、グループアウターループスケジューリング回数カウンターをクリアし、そのうち、あらかじめ記憶されたグループＣＱＩとＭＣＳのマッピングテーブルにおいて更新された後のグループによって報告されたＣＱＩに対応するＭＣＳはグループＭＣＳより小さい、又は、グループによって報告されたＭＣＳはグループＭＣＳの以下である場合、グループアウターループスケジューリング回数カウンターをクリアし、毎回の基地局がＭＣＳ値を周期的にスケジューリングする場合、グループアウターループスケジューリング回数カウンターに１をプラスすること、及び
調整後のＭＣＳアウターループ値に基づいて、今回スケジューリングされたＭＣＳ値を確定することを含む。
【００２７】
同理に、以上は、どのようにＭＣＳアウターループ値を確定するかを説明したが、当業者は他の方式でＭＣＳアウターループ値を確定することができ、もちろん、以上に提供されたＭＣＳインナーループ値取得方法で、最終にＭＣＳ値を得ることができる。
【００２８】
クラスタ端末の処理フローを簡略化させるために、前記クラスタ端末のブロック誤り率があらかじめ記憶されたブロック誤り率の閾値に達した場合に報告されたＣＱＩに対応するＭＣＳ値はクラスタ端末によって報告されたＣＱＩとともに送信される。
【００２９】
以下、本発明の実施例に係る方法を詳細に説明する。
【００３０】
図２は本発明の応用例に係る変調符号化方式を管理する方法のフローチャートである。図２に示すように、前記方法は、ステップ２０１〜２０７を含む。
【００３１】
ステップ２０１：操作保守センターはクラスタ端末がＣＱＩ状態レポートを報告することをトリガーするＢＬＥＲ閾値、ＣＱＩの報告を頻繁にトリガーすることを避けるタイマー持続時間、ＭＣＳアウターループスケジューリングカウンターの閾値、及びグループ初期ＣＱＩ等のパラメータを設定する。
【００３２】
１）、操作保守センターはクラスタ端末がＣＱＩ状態レポートを報告することをトリガーするＢＬＥＲ閾値、ＣＱＩの報告を頻繁にトリガーすることを避けるタイマー持続時間、ＭＣＳアウターループスケジューリングカウンターの閾値、グループ初期ＣＱＩ、及びグループ初期ＭＣＳアウターループ値等のパラメータを設定する。
【００３３】
２）、基地局のグループＣＱＩ管理モジュール及びグループＭＣＳ管理モジュールは上記設定情報を取得する。
【００３４】
ステップ２０２：基地局はグループ負荷制御メッセージによりＢＬＥＲ閾値及びＣＱＩの報告を頻繁にトリガーすることを避けるタイマー持続時間パラメータを端末に送信する。
【００３５】
１）、基地局はＢＬＥＲ閾値及びＣＱＩの報告を頻繁にトリガーすることを避けるタイマー持続時間パラメータをグループ負荷制御メッセージ中にコーディングする。
【００３６】
２）、基地局はグループ負荷制御メッセージを周期的に送信し、グループの後にアクセスする端末の正確受信を保証する。
【００３７】
３）、クラスタ端末はグループ負荷制御メッセージを受信して、ＢＬＥＲ閾値及びＣＱＩの報告を頻繁にトリガーすることを避けるタイマー持続時間パラメータを取得する。
【００３８】
ステップ２０３：クラスタ端末は自分のＢＬＥＲをリアルタイムに検出し、ＢＬＥＲが規定された閾値に達した場合、クラスタ端末は状態レポートによりＢＬＥＲに対応するＣＱＩ及びＭＣＳを報告する。
【００３９】
クラスタ端末はグループデータを受信してＢＬＥＲをリアルタイムにモニタリングする。
【００４０】
モニタリングされたＢＬＥＲが閾値を超えると、クラスタ端末はランダムアクセス過程で状態レポートを報告し、該状態レポートはＢＬＥＲに対応するＣＱＩ及びＭＣＳを含み、
クラスタ端末が自分の状態を頻繁に報告するために、クラスタ端末はＢＬＥＲトリガーを満たすと同時にＣＱＩ報告間隔保護を満たす必要がある。ＣＱＩを１回報告した後、報告を禁止するためのタイマーを起動し、タイマー持続時間は、すなわち上記の負荷制御メッセージにより端末に伝達された、ＣＱＩの報告を頻繁にトリガーすることを避けるタイマー持続時間パラメータであり、タイマーが期限切れになるまでＣＱＩ報告を行うことができない。
【００４１】
ステップ２０４：基地局はクラスタ端末が報告したＣＱＩ及びＭＣＳを受信する。
【００４２】
基地局はランダムにアクセスしたＭＳＧ３（第３通のメッセージ）を復調して報告されたＣＱＩ及びＭＣＳを取得し、グループＣＱＩ管理モジュールに伝達し、
グループＣＱＩ管理モジュールは、グループＣＱＩ、グループによって報告されたＣＱＩ、グループＭＣＳ、グループによって報告されたＭＣＳの４つのプロパティを含み、そのうち、
グループＣＱＩプロパティは、グループがスケジューリングされる時にＭＣＳインナーループ値を計算することに用いられ、グループＣＱＩの初期値はステップ２０１におけるグループ初期ＣＱＩパラメータによって確定され、グループＭＣＳはグループが前回スケジューリングされる時に確定されたＭＣＳを保存し、グループによって報告されたＣＱＩは、グループ中における各端末が報告したＣＱＩ最小値を保存し、後のグループＭＣＳを計算する時、グループＣＱＩの候補とし、グループによって報告されたＭＣＳはグループにおける各端末が報告したＭＣＳ最小値を保存し、後のグループＭＣＳアウターループ値の計算に用い、
グループＣＱＩ管理モジュールは報告されたＣＱＩ及び／又はＭＣＳを受信し、それがグループによって報告されたＣＱＩ及び／又はＭＣＳより小さいかを判断し、より小さいと、グループによって報告されたＣＱＩ及び／又はＭＣＳを更新するし、より大きいならば、破棄して処理しない。
【００４３】
ステップ２０５：基地局は報告されたＣＱＩに基づいてグループがスケジューリングされる時のＭＣＳインナーループ値を確定する。
【００４４】
グループがスケジューリングされる時、グループＣＱＩを確定する方法は、
グループＭＣＳ管理モジュールがグループＣＱＩ管理モジュールによって出力されたグループＣＱＩに基づいて、グループＣＱＩとＭＣＳのマッピングテーブルをクエリし、グループＭＣＳインナーループ値を得ることである。
【００４５】
ステップ２０６：基地局は、報告されたＣＱＩ及びＭＣＳに基づいてグループがスケジューリングされる時のＭＣＳアウターループ値を確定する。
【００４６】
グループＭＣＳアウターループ値の初期値はグループ初期ＭＣＳアウターループ値によって確定され、アウターループ値の更新は下記のステップに従って行う。
【００４７】
ステップａ：グループＣＱＩ管理モジュールはグループによって報告されたＣＱＩに基づいてグループＣＱＩとＭＣＳのマッピングテーブルをクエリし、１つのＭＣＳを取得し、このＭＣＳがグループＭＣＳより小さいと、グループアウターループスケジューリング回数カウンターをクリアする。
【００４８】
ステップｂ：グループＭＣＳ管理モジュールはグループＣＱＩ管理モジュールによって出力された、グループによって報告されたＭＣＳを判断し、グループによって報告されたＭＣＳがグループＭＣＳの以下であると、グループＭＣＳアウターループ値を１オーダー下げ、すなわち数値から１を差し引く。
【００４９】
ステップｃ：毎回の基地局がＭＣＳ値を周期的にスケジューリングする場合、グループアウターループスケジューリング回数カウンターに１をプラスし，グループＭＣＳ管理モジュールはグループアウターループスケジューリング回数カウンターがＭＣＳアウターループスケジューリングカウンターの閾値に達したかどうかを判断し、達すると、グループＭＣＳアウターループ値を１オーダー高くし、グループアウターループスケジューリング回数カウンターをクリアし、達していないと、グループＭＣＳアウターループ値を変化させない。
【００５０】
ステップ２０７：基地局は最終スケジューリング時のグループＭＣＳを計算する。
【００５１】
グループＭＣＳ管理モジュールは、グループがスケジューリングされる時の最終ＭＣＳ、すなわち、グループＭＣＳインナーループ値とＭＣＳアウターループ値の和を確定し、
グループＭＣＳ管理モジュールは、グループＭＣＳをダウンリンクデータスケジューリングモジュールに出力する。
【００５２】
本発明の実施例では、クラスタサービス特徴及びＬＴＥ無線プロトコルを統合的に考慮して、ロングタームエボリューション技術に基づくクラスタシステム変調符号化確定方法が提案され、クラスタサービスデータを確実で効果的に伝送することを保証し、更に、システム容量を向上させる。
【００５３】
図３は本発明の実施例に係る変調符号化方式を管理するシステムの構造模式図である。
図３に示すように、前記システムは基地局３０を備え、そのうち、前記基地局３０は、
クラスタ端末のブロック誤り率があらかじめ記憶されたブロック誤り率の閾値に達した場合のダウンリンクＣＱＩを取得する取得装置３０１、  
前記取得装置３０１に接続され、グループの現在のＣＱＩとローカルに保存されたグループによって報告されたＣＱＩを比較し、そのうち、前記グループによって報告されたＣＱＩは受信されたグループ内の各クラスタ端末が報告したＣＱＩのうちの最小値である比較装置３０２、及び
前記比較装置３０２に接続され、比較結果はグループによって報告されたＣＱＩがグループの現在のＣＱＩより小さいならば、ＭＣＳ値の更新操作を開始する更新装置３０３を備える。
【００５４】
そのうち、前記システムは、クラスタ端末３１を更に備え、そのうち前記クラスタ端末３１は、
ローカルのブロック誤り率があらかじめ記憶されたブロック誤り率の閾値に達した場合、ＣＱＩを報告した後、報告を禁止するためのタイマーを起動し、タイマーが期限切れになるまで基地局にＣＱＩ情報を送信しないように制御する起動装置３１１、
前記起動装置３１１に接続され、報告を禁止するためのタイマーが期限切れになった後、ローカルのブロック誤り率が依然として前記ブロック誤り率の閾値より大きいならば、基地局にＣＱＩ情報を引き続き送信する制御装置３１２を備える。
【００５５】
そのうち、前記更新装置３０３は、
グループの現在のＣＱＩをグループによって報告されたＣＱＩに更新する更新モジュール３０３１、
あらかじめ記憶されたグループＣＱＩとＭＣＳのマッピングテーブルから、グループの現在のＣＱＩに対応する数値をクエリし、クエリして得られた数値をＭＣＳインナーループ値とする第１の確定モジュール３０３２、を備える。
【００５６】
そのうち、前記更新装置３０３は、
グループによって報告されたＭＣＳがグループＭＣＳの以下であると、グループＭＣＳアウターループ値を１オーダー下げ、そのうち、グループによって報告されたＭＣＳは、クラスタ端末のブロック誤り率があらかじめ記憶されたブロック誤り率の閾値に達した場合に報告されたＣＱＩに対応するＭＣＳのうちの最小値であるＭＣＳであり、グループＭＣＳは前回スケジューリングされた時に確定されたＭＣＳであり、及び、グループアウターループスケジューリング回数カウンターはあらかじめ設定されたＭＣＳアウターループスケジューリングカウンターの閾値に達すると、グループＭＣＳアウターループ値を１オーダー高くし、グループアウターループスケジューリング回数カウンターをクリアし、そのうち、あらかじめ記憶されたグループＣＱＩとＭＣＳのマッピングテーブルにおいて更新された後のグループによって報告されたＣＱＩに対応するＭＣＳはグループＭＣＳより小さい、又は、グループによって報告されたＭＣＳはグループＭＣＳの以下である場合、グループアウターループスケジューリング回数カウンターをクリアし、毎回の基地局がＭＣＳ値を周期的にスケジューリングする場合、グループアウターループスケジューリング回数カウンターに１をプラスする制御モジュール３０３３、
前記制御モジュール３０３３に接続され、調整後のＭＣＳアウターループ値に基づいて、今回スケジューリングされたＭＣＳ値を確定する第２の確定モジュール３０３４を備える。
【００５７】
そのうち、前記クラスタ端末のブロック誤り率があらかじめ記憶されたブロック誤り率の閾値に達した場合に報告されたＣＱＩに対応するＭＣＳ値はクラスタ端末によって報告されたＣＱＩとともに送信される。
【００５８】
本発明の実施例に係るシステム中では、クラスタサービス特徴及びＬＴＥ無線プロトコルを統合的に考慮して、ロングタームエボリューション技術に基づくクラスタシステム変調符号化確定方法が提案され、クラスタサービスデータを確実で効果的に伝送することを保証し、更に、システム容量を向上させる。
【００５９】
一般の当業者は、上記実施例の全部又は一部のステップをコンピュータプログラムフローによって実現することができ、前記コンピュータプログラムはコンピュータ読み取り可能な記憶媒体に記憶してもよいと理解することができ、前記コンピュータプログラムは相応なハードウェアプラットフォーム上（例えばシステム、設備、装置、デバイス等）に実行され、実行する時、方法実施例のステップの一つ又はその組合せを含む。
【００６０】
選択肢として、上記実施例の全部又は一部のステップを集積回路により実現してもよく、これらのステップをそれぞれ集積回路モジュールに製作し、又はそれらのうちの複数のモジュール又はステップを単一の集積回路モジュールに製作して実現してもよい。このように、本発明の実施例はあらゆる特定形式のハードウェアとソフトウェアの組合せに限らない。
【００６１】
上記実施例中における各装置／機能モジュール／機能ユニットは汎用の計算装置で実現されてもよく、それらは単一の計算装置上に集中されてもよく、複数の計算装置からなるネットワーク上に分布してもよい。
【００６２】
上記実施例中における各装置／機能モジュール／機能ユニットはソフトウェア機能モジュールの形式で実現され、且つ独立した製品として販売又は使用される時、一つのコンピュータ読み取り可能な記憶媒体中に記憶されてもよい。以上に言及したコンピュータ読み取り可能な記憶媒体は読み出し専用メモリ、ディスク又は光ディスク等であってもよい。
【００６３】
以上は本発明の実施形態に過ぎず、本発明の保護範囲を制限するためのものではなく、当業者は本発明の実施例に開示、指摘された技術範囲内において、容易に変化又は取り替えを想到し得ることができ、これらの変化又は取り替えはいずれも本発明の保護範囲の内に属すべきである。従って、本発明の保護範囲は請求の範囲に記載の保護範囲を基準とする。
【産業上の利用可能性】
【００６４】
本発明の実施例に係る方法及びシステムによれば、グループがデータを伝送する時に使用する変調符号化手段を動的に適応調整し、クラスタサービスデータを確実で効果的に伝送することを保証し、システム容量を更に向上させることができる。
【誤訳訂正２】
【訂正対象書類名】特許請求の範囲
【訂正対象項目名】全文
【訂正方法】変更
【訂正の内容】
【特許請求の範囲】
【請求項１】
基地局は、クラスタ端末のブロック誤り率があらかじめ記憶されたブロック誤り率の閾値に達した場合のダウンリンクチャネル品質インジケータＣＱＩを取得することと、
前記基地局は、グループの現在のＣＱＩとローカルに保存されたグループによって報告されたＣＱＩを比較し、そのうち前記グループによって報告されたＣＱＩは受信されたグループ内の各クラスタ端末が報告したＣＱＩのうちの最小値であることと、
比較結果は前記グループによって報告されたＣＱＩが前記グループの現在のＣＱＩより小さいならば、前記基地局はＭＣＳ値の更新操作を開始することとを含み、
前記基地局がＭＣＳ値の更新操作を開始することは、
グループによって報告されたＭＣＳがグループＭＣＳの以下であると、前記基地局はグループＭＣＳアウターループ値を１オーダー下げ、そのうち、前記グループによって報告されたＭＣＳは前記クラスタ端末のブロック誤り率があらかじめ記憶されたブロック誤り率の閾値に達した場合に報告されたＣＱＩに対応するＭＣＳの最小値であり、前記グループＭＣＳは前回スケジューリングされた時に確定されたＭＣＳであることと、
グループアウターループスケジューリング回数カウンターがあらかじめ設定されたＭＣＳアウターループスケジューリングカウンターの閾値に達すると、前記基地局は前記グループＭＣＳアウターループ値を１オーダー高くし、且つ前記グループアウターループスケジューリング回数カウンターをクリアし、そのうち、更新された後のグループによって報告されたＣＱＩの、前記あらかじめ記憶されたグループＣＱＩとＭＣＳのマッピングテーブルにおいて対応するＭＣＳが前記グループＭＣＳより小さい、又は、前記グループによって報告されたＭＣＳが前記グループＭＣＳの以下である場合、前記グループアウターループスケジューリング回数カウンターをクリアし、毎回の基地局がＭＣＳ値を周期的にスケジューリングする時、前記グループアウターループスケジューリング回数カウンターに１をプラスすることと、
調整後のＭＣＳアウターループ値に基づいて、前記基地局は今回のスケジューリングされたＭＣＳ値を確定することとを含む変調符号化方式ＭＣＳを管理する方法。
【請求項２】
ローカルのブロック誤り率があらかじめ記憶されたブロック誤り率の閾値に達した場合、クラスタ端末はＣＱＩを報告した後、報告を禁止するためのタイマーを起動し、前記タイマーが期限切れになるまで前記基地局にＣＱＩ情報を送信しないように制御することと、
前記報告を禁止するためのタイマーが期限切れになった後、ローカルのブロック誤り率が依然として前記ブロック誤り率の閾値より大きいならば、前記クラスタ端末は前記基地局にＣＱＩ情報を引き続き送信することとを更に含む請求項１に記載の方法。
【請求項３】
前記基地局がＭＣＳ値の更新操作を開始することは、
前記グループの現在のＣＱＩを前記グループによって報告されたＣＱＩに更新することと、
あらかじめ記憶されたグループＣＱＩとＭＣＳのマッピングテーブルから、前記グループの現在のＣＱＩに対応する数値をクエリし、クエリして得られた数値をＭＣＳインナーループ値とすることとを含む請求項１に記載の方法。
【請求項４】
前記クラスタ端末のブロック誤り率があらかじめ記憶されたブロック誤り率の閾値に達した場合報告されたＣＱＩに対応するＭＣＳ値は前記クラスタ端末によって報告されたＣＱＩとともに送信される請求項１に記載の方法。
【請求項５】
基地局を含む変調符号化方式ＭＣＳを管理するシステムであって、そのうち、前記基地局は、
クラスタ端末のブロック誤り率があらかじめ記憶されたブロック誤り率の閾値に達した場合のダウンリンクチャネル品質インジケータＣＱＩを取得するように設定される取得装置と、
前記取得装置に接続され、グループの現在のＣＱＩとローカルに保存されたグループによって報告されたＣＱＩを比較し、そのうち前記グループによって報告されたＣＱＩは受信されたグループ内の各クラスタ端末が報告したＣＱＩのうちの最小値であるように設定される比較装置と、
前記比較装置に接続され、比較結果が前記グループによって報告されたＣＱＩが前記グループの現在のＣＱＩより小さいならば、ＭＣＳ値の更新操作を開始するように設定される更新装置とを含み、
前記更新装置は、
グループによって報告されたＭＣＳがグループＭＣＳの以下であると、グループＭＣＳアウターループ値を１オーダー下げ、そのうち、前記グループによって報告されたＭＣＳは前記クラスタ端末のブロック誤り率があらかじめ記憶されたブロック誤り率の閾値に達した場合に報告されたＣＱＩに対応するＭＣＳの最小値であり、前記グループＭＣＳは前回スケジューリングされた時に確定されたＭＣＳであり、及び、グループアウターループスケジューリング回数カウンターがあらかじめ設定されたＭＣＳアウターループスケジューリングカウンターの閾値に達すると、グループＭＣＳアウターループ値を１オーダー高くし、且つ前記グループアウターループスケジューリング回数カウンターをクリアし、そのうち、更新された後のグループによって報告されたＣＱＩの、前記あらかじめ記憶されたグループＣＱＩとＭＣＳのマッピングテーブルにおいて対応するＭＣＳが前記グループＭＣＳより小さい、又は、前記グループによって報告されたＭＣＳが前記グループＭＣＳの以下である場合、前記グループアウターループスケジューリング回数カウンターをクリアし、毎回の基地局がＭＣＳ値を周期的にスケジューリングする時、前記グループアウターループスケジューリング回数カウンターに１をプラスするように設定される制御モジュールと、
前記制御モジュールに接続され、調整後のＭＣＳアウターループ値に基づいて、今回スケジューリングされたＭＣＳ値を確定するように設定される第２の確定モジュールとを備える変調符号化方式ＭＣＳを管理するシステム。
【請求項６】
ローカルのブロック誤り率があらかじめ記憶されたブロック誤り率の閾値に達した場合、ＣＱＩを報告した後、報告を禁止するためのタイマーを起動して、前記タイマーが期限切れになるまで前記基地局にＣＱＩ情報を送信しないように制御するように設定される起動装置と、
前記起動装置に接続され、前記報告を禁止するためのタイマーが期限切れになった後、
ローカルのブロック誤り率が依然として前記ブロック誤り率の閾値より大きいならば、前記基地局にＣＱＩ情報を引き続き送信するように設定される制御装置とを含むクラスタ端末を更に含む請求項５に記載のシステム。
【請求項７】
前記更新装置は、
前記グループの現在のＣＱＩを前記グループによって報告されたＣＱＩに更新するように設定される更新モジュールと、
あらかじめ記憶されたグループＣＱＩとＭＣＳのマッピングテーブルから、前記グループの現在のＣＱＩに対応する数値をクエリし、クエリして得られた数値をＭＣＳインナーループ値とするように設定される第１の確定モジュールとを備える請求項５に記載のシステム。
【請求項８】
前記クラスタ端末のブロック誤り率があらかじめ記憶されたブロック誤り率の閾値に達した場合に報告されたＣＱＩに対応するＭＣＳ値は前記クラスタ端末によって報告されたＣＱＩとともに送信される請求項５に記載のシステム。
【誤訳訂正３】
【訂正対象書類名】図面
【訂正対象項目名】図２
【訂正方法】変更
【訂正の内容】
【図２】
2016507952.tif 000001